(57)【要約】【課題】  建材の外観を損なわず、建材の取付け及び取り外しが簡単で、強固に建材を取り付けることができる建材固定金具を提供する。【解決手段】  壁面に取り付けられる第１の固定部材及び第１の固定部材に着脱可能に取り付けられる第２の固定部材によって建材を固定する建材固定金具であって、第１の固定部材は、収容部が形成された第１の固定部材本体と、収容部内に形成された、弾性材料からなる第１の係止部と、第１の固定部材本体と連設され、建材に形成された一の溝部と係合する第１の係合部を備え、第２の固定部材は、収容部に収容される第２の固定部材本体と、第２の固定部材本体と連設され、建材に形成された他の溝部と係合する第２の係合部を備えると共に、第２の固定部材本体には、第１の係止部と係合する凹凸部が形成され、第１の係止部と凹凸部が係合することにより第２の固定部材の離脱方向への動きを規制することとする。【選択図】  図１
2006045900.tif 000002
【特許請求の範囲】
【請求項１】
壁面に取り付けられる第１の固定部材及び該第１の固定部材に着脱可能に取り付けられる第２の固定部材によって建材を固定する建材固定金具であって、
前記第１の固定部材は、収容部が形成された第１の固定部材本体と、
前記収容部内に形成された、弾性材料からなる第１の係止部と、
前記第１の固定部材本体と連設され、前記建材に形成された一の溝部と係合する第１の係合部を備え、
前記第２の固定部材は、前記収容部に収容される第２の固定部材本体と、
前記第２の固定部材本体と連設され、前記建材に形成された他の溝部と係合する第２の係合部を備えると共に、
前記第２の固定部材本体には、前記第１の係止部と係合する凹凸部が形成され、前記第１の係止部と前記凹凸部が係合することにより第２の固定部材の離脱方向への動きを規制する
ことを特徴とする建材固定金具。
【請求項２】
前記第１の係止部と前記凹凸部との間に、弾性材料からなる第２の係止部が形成された平板状の工具を挿入して、前記第１の係止部と凹凸部の係合を解除すると共に、
弾性材料からなる第２の係止部と前記凹凸部を係合させた後に同工具を第２の固定部材の離脱方向に移動させることによって、第１の固定部材から第２の固定部材を取り外す
ことを特徴とする請求項１に記載の建材固定金具。
【請求項３】
前記第１の固定部材が、同第１の固定部材を壁面に取り付けるための締め具の頭部厚さ以上の厚さを有する隆起部を備える
ことを特徴とする請求項１または請求項２に記載の建材固定金具。
【請求項４】
壁面に取り付けられる第１の固定部材、該第１の固定部材に着脱可能に取り付けられる第２の固定部材及び第３の固定部材によって建材を固定する建材固定金具であって、
前記第１の固定部材は、第１の収容部と第２の収容部が形成された第１の固定部材本体と、
前記第１の収容部及び前記第２の収容部内に形成された、弾性材料からなる第１の係止部を備え、
前記第２の固定部材は、前記第１の収容部に収容される第２の固定部材本体と、
前記第２の固定部材本体と連設され、前記建材に形成された一の溝部と係合する第２の係合部を備えると共に、
前記第２の固定部材本体には、前記第１の係止部と係合する凹凸部が形成され、前記第１の係止部と前記凹凸部が係合することにより第２の固定部材の離脱方向への動きを規制し、
前記第３の固定部材は、前記第２の収容部に収容される第３の固定部材本体と、
前記第３の固定部材本体と連設され、前記建材に形成された他の溝部と係合する第１の係合部を備えると共に、
前記第３の固定部材本体には、前記第１の係止部と係合する凹凸部が形成され、前記第１の係止部と前記凹凸部が係合することにより第３の固定部材の離脱方向への動きを規制する
ことを特徴とする建材固定金具。
【請求項５】
前記第１の係止部と前記凹凸部との間に、弾性材料からなる第２の係止部が形成された平板状の工具を挿入して、前記第１の係止部と凹凸部の係合を解除すると共に、
弾性材料からなる第２の係止部と前記凹凸部を係合させた後に同工具を第２の固定部材及び第３の固定部材の離脱方向に移動させることによって、第１の固定部材から第２の固定部材及び第３の固定部材を取り外す
ことを特徴とする請求項４に記載の建材固定金具。
【請求項６】
前記第１の固定部材が、同第１の固定部材を壁面に取り付けるための締め具の頭部厚さ以上の厚さを有する隆起部を備える
ことを特徴とする請求項４または請求項５に記載の建材固定金具。
【発明の詳細な説明】
【技術分野】
【０００１】
本発明は、建材固定金具に関する。詳しくは、複数の固定部材を着脱可能に組み合わせることによって、建材を構造物の壁面等に容易に取付けられるようにした建材固定金具に係るものである。
【背景技術】
【０００２】
家屋等の外観を飾って個性を出したり、屋内のインテリアになったりする内外装材等の建材を構造物の壁面に取り付けることが行われている。従来、外装材等の建材固定方法としては、ビスや釘を建材の外面から打ち込んで固定する方法（例えば、非特許文献１参照。）や、スプリングを有する固定金具を使用して固定する方法（例えば、特許文献１参照。）が提案されている。
【０００３】
従来の建材固定方法を、図面を用いて説明する。
図８は、ビスや釘を建材の外面から打ち込んで建材を固定した態様を示す概略断面図である。図８に示すように、ビスや釘を建材の外面から打ち込んで固定する方法では、建材１０１の外面からビス１０２を打ち込んで、建材１０１を壁面１０３に固定している。
【０００４】
図９は、スプリングを有する固定金具を使用して建材を固定した態様を示す概略図である。図９に示すように、スプリングを有する固定金具を使用して固定する方法では、固定金具本体１０４をビス１０２で壁面１０３に取付け、建材１０１の上部の係止部１０８が可動係留部１０５の先端手前に当接し、更に押し込むことによって押しばね体１０６の付勢力に抗しながら可動係留部１０５が押し下げられて上部の係止部１０８と互いに係留し、更に、建材１０１の下部の係止部１０８が係留部１０７と当接して互いに係留して取付けが完了する。
【０００５】
【非特許文献１】「住まいづくりの総合カタログ  ２  外装・構造・ダイライト  西日本用」，大建工業株式会社，２００３年７月
【特許文献１】特開２００４−２７６４４号公報
【発明の開示】
【発明が解決しようとする課題】
【０００６】
しかしながら、ビスや釘を建材の外面から打ち込むと、建材取付け時に建材を損傷し、取付け後は釘止めやビス止めが建材の外面上に露出してしまうため外観を損ねてしまい、更に、建材を取り外す時には建材を破壊して取り外さなくてはならず、建材の再利用が困難であった。
【０００７】
また、スプリングを有する固定金具を使用した固定方法では、建材の内側からスプリングの付勢力により建材を固定するので、建材と金具との間で軋みが起き、さらには固定安定性に不安があった。
【０００８】
本発明は、以上の点に鑑みて創案されたものであり、建材の外観を損なわず、建材の取付け及び取り外しが簡単で、強固に建材を取り付けることができる建材固定金具を提供することを目的とする。
【課題を解決するための手段】
【０００９】
上記の目的を達成するために、本発明の建材固定金具は、壁面に取り付けられる第１の固定部材及び該第１の固定部材に着脱可能に取り付けられる第２の固定部材によって建材を固定する建材固定金具であって、前記第１の固定部材は、収容部が形成された第１の固定部材本体と、前記収容部内に形成された、弾性材料からなる第１の係止部と、前記第１の固定部材本体と連設され、前記建材に形成された一の溝部と係合する第１の係合部を備え、前記第２の固定部材は、前記収容部に収容される第２の固定部材本体と、前記第２の固定部材本体と連設され、前記建材に形成された他の溝部と係合する第２の係合部を備えると共に、前記第２の固定部材本体には、前記第１の係止部と係合する凹凸部が形成され、前記第１の係止部と前記凹凸部が係合することにより第２の固定部材の離脱方向への動きを規制する。
【００１０】
第１の固定部材本体に形成された収容部は、凹凸部を有する第２の固定部材本体を収容でき、収容部内に形成された第１の係止部が凹凸部と係合し、第２の固定部材の離脱方向への動きを規制する。第１の係合部及び第２の係合部が、建材の溝部に係合し、建材を固定金具にしっかりと固定する。
【００１１】
また、本発明の建材固定金具は、壁面に取り付けられる第１の固定部材、該第１の固定部材に着脱可能に取り付けられる第２の固定部材及び第３の固定部材によって建材を固定する建材固定金具であって、前記第１の固定部材は、第１の収容部と第２の収容部が形成された第１の固定部材本体と、前記第１の収容部及び第２の収容部内に形成された、弾性材料からなる第１の係止部を備え、前記第２の固定部材は、前記第１の収容部に収容される第２の固定部材本体と、前記第２の固定部材本体と連設され、前記建材に形成された一の溝部と係合する第２の係合部を備えると共に、前記第２の固定部材本体には、前記第１の係止部と係合する凹凸部が形成され、前記第１の係止部と前記凹凸部が係合することにより第２の固定部材の離脱方向への動きを規制し、前記第３の固定部材は、前記第２の収容部に収容される第３の固定部材本体と、前記第３の固定部材本体と連設され、前記建材に形成された他の溝部と係合する第１の係合部を備えると共に、前記第３の固定部材本体には、前記第１の係止部と係合する凹凸部が形成され、前記第１の係止部と前記凹凸部が係合することにより第３の固定部材の離脱方向への動きを規制する。
【００１２】
第１の固定部材本体に形成された第１の収容部と第２の収容部は、凹凸部を有する第２の固定部材本体と、凹凸部を有する第３の固定部材本体をそれぞれ収容でき、各収容部内に形成された第１の係止部が各凹凸部と係合し、第２の固定部材及び第３の固定部材それぞれの離脱方向への動きを規制する。
【発明の効果】
【００１３】
本発明の建材固定金具によって、建材の外観を損なわず、建材の取付け及び取り外しが簡単で、強固に建材を取り付けることができる。
【発明を実施するための最良の形態】
【００１４】
以下、本発明の実施の形態について図面を参照しながら説明し、本発明の理解に供する。
【００１５】
図１は、本発明を適用した建材固定金具の一例を示す概略斜視図である。ここで示す建材固定金具１は、ばね材料によって構成された第１の固定部材２と第２の固定部材９からなる。第１の固定部材２は、取り付け穴７が設けられた板状の第１の固定部材本体３と、板ばね付プレート８がかしめによって接合されており、第１の固定部材本体には、建材に形成された一の溝部と係合する第１の係合部５と、第１の固定部材本体３の表面上に隆起した隆起部６が形成され、隆起部と板ばね付プレートの間隙に第２の固定部材本体１０を収容する収容部４が形成される。なお、板ばね付プレートの板ばね８ａは収容部内に位置する様に形成されている。
【００１６】
取り付け穴７には、第１の固定部材２を構造物の壁面に取り付けるために用いる締め具が通される。隆起部６は締め具の頭部厚さ以上の厚さを有し、これにより、建材を固定した際、締め具頭部が建材を押すことなく建材が第１の固定部材と密着して、固定が安定する。また、隆起部の存在によって第１の固定部材強度が向上する。隆起部６の厚さは数ｍｍ程度である。
【００１７】
第２の固定部材９は、凹凸部１１が形成された第２の固定部材本体１０と、第１の係合部５が係合する溝部とは別の溝部と係合する第２の係合部１２からなる。
【００１８】
金属製の固定解除工具１４は、板ばね８ａと、第２の固定部材９の凹凸部１１とが係合して、第２の固定部材９の収容部４内への挿入方向とは逆方向への滑走が防止されることによる固定状態を解除するための工具である。固定状態を解除する場合、固定解除工具１４が、板ばね付プレート８と、第２の固定部材９の凹凸部１１との間に入るよう、固定解除工具１４を第１の固定部材２の収容部４内に挿入し、第２の固定部材９の凹部に掛かった第１の固定部材２の板ばね８ａを押し倒して板ばね８ａを凹部から引き離す。
【００１９】
図１において、第１の固定部材本体３、第１の係合部５、隆起部６、板ばね８ａ、板ばね付プレート８、第２の固定部材本体１０及び第２の係合部１２はばね材料で構成されているが、少なくとも板ばね８ａがばね材料で構成されていれば充分で、その他の構成部材はばね材料以外（例えばプラスティック材料）で構成されていてもよい。
【００２０】
第１の固定部材本体３は、板状であれば正方形、長方形、円形、三角形、菱形等どのような形でもよい。取り付け穴７の数は幾つでもよく、その形状はどのような形状でもよい。締め具としては、釘、ビス等が使用できる。第１の係合部５及び第２の係合部１２はどのような形状でもよく、例えば斜めに折り曲げた形やコの字形等としてもよい。第１の係合部５は幾つ設けられていてもよいが、通常、１〜３個設け、互いに平行となるように若しくは交差するように設ける。
【００２１】
図１において、第１の固定部材本体３と第１の係合部５は一体成形されているが、これら及び板ばね付プレート８をそれぞれ別々の部材として、これらを、かしめや溶接等によって接合させてもよいし、これらを一体成形してもよい。また、第２の固定部材本体１０と第２の係合部１２も一体成形されているが、別々の部材としてこれらを接合させてもよい。第１の固定部材本体３と板ばね付プレート８を金属製とし、第１の係合部５をプラスティック製としてもよい。また、第１の固定部材本体３と第１の係合部５を共にプラスティック製とし、板ばね付プレート８を金属製としてもよい。第２の固定部材本体１０と第２の係合部１２の材質も互いに相違していても互いに同一でもよい。
【００２２】
第１の係止部である板ばね８ａは収容部４内に位置しており、第２の固定部材本体１０に設けられた凹凸部１１と係合し、第２の固定部材９の収容部４内への挿入方向とは逆方向への滑走を防止し、第２の固定部材９を固定する。図１の建材固定金具において、板ばねはそれぞれ３つずつ平行に２列設けられているが（不図示）、第２の固定部材本体１０に設けられた凹凸部１１と係合して第２の固定部材９の収容部４内への挿入方向とは逆方向への滑走を防止できれば、板ばね８ａの数は特に制限されない。また板ばね８ａは収容部４内に設けられていれば、その配列はどのようなものでもよく、例えば、第２の固定部材９が収容部４内へ挿入される方向に対して垂直方向に延びる一体成形された板ばねを、挿入方向に複数個配列してもよい。
【００２３】
図１において、第２の固定部材本体１０は突片が２つあるＵ字形を有しているが、その他の形状例えば突片が３つある三叉形を有していてもよい。第２の係合部１２はどのような形状でもよく、例えば斜めに折り曲げた形やコの字形等としてもよい。第１の係止部と係合できるのであれば凹凸は部分的に形成されていてもよく、例えば第２の固定部材本体１０がＵ字形の場合、２つある突片の一方に凹凸部が設けられていればよい。凹部間隔を狭めて凹凸を多く設けることによって、固定の強弱を微調整でき、建材の歪みを柔軟に吸収できる。
【００２４】
図２は、本発明を適用した建材固定金具の他の一例を示す概略斜視図である。この態様において、第１の固定部材２は互いに平行に並んだ２つの第１の係合部５を有している。第１の固定部材本体３には、第１の係合部５に接する開口部１５が設けられている。
【００２５】
図３は、本発明を適用した建材固定金具の更に他の一例を示す概略斜視図である。第１の固定部材本体３は、それぞれ反対方向に向けて開口している第１の収容部４ａと第２の収容部４ｂを有している。第１の固定部材本体３には第１の係合部５は設けられていない。第３の固定部材１６は、凹凸部１８が形成された第３の固定部材本体１７と、第１の係合部５からなる。第１の収容部４ａには第２の固定部材本体１０が収容され、第２の収容部４ｂには第３の固定部材本体１７が収容される。
【００２６】
第３の固定部材本体１７と第１の係合部５はばね材料で構成されているが、プラスティックで構成されていてもよい。第３の固定部材本体１７と第１の係合部５は一体成形されているが、別々の部材として、これらを、かしめや溶接等により接合してもよい。
【００２７】
図４は、図１に示す本発明を適用した建材固定金具を使用して建材を取り付けた態様の一例を表す概略断面図である。
建材固定金具１は、ビス１３によって構造物の壁面２１に取り付けられている。ビス１３の代わりに釘を使ってもよい。第２の固定部材９は、第１の固定部材２の収容部４内に挿入されており、収容部内において第２の固定部材の凹凸部１１と、第１の固定部材２の板ばね８ａが係合する。板ばね８ａは、第２の固定部材９の挿入方向とは逆方向に反り返っているので、第２の固定部材９はもはや挿入方向とは逆方向に動くことはできなくなる。第１の係合部５及び第２の係合部１２が、建材１９の外側に設けられた、第１の係合部５及び第２の係合部１２に対応する形状の溝部２０とかみ合い、建材１９を第１の固定部材２と第２の固定部材９とが挟むようにして建材を固定する。
【００２８】
図５は、図４で示す本発明を適用した建材固定金具の固定状態を解除して建材を取り外す態様の一例を示す概略断面図である。図６は、図５の固定解除機構を説明する概略部分拡大図である。金属製の固定解除工具１４が、板ばね付プレート８と、第２の固定部材９の凹凸部との間に入るよう、固定解除工具１４を第１の固定部材２の収容部４内に挿入し、第２の固定部材９の凹部に掛かった第１の固定部材２の板ばね８ａを押し倒して板ばね８ａを凹部から引き離すことにより固定状態を解除する。そして、固定解除工具１４に設けられた板ばね１４ａが、第２の固定部材９の凹凸部の凹部に掛かり、指掛片１４ｂを手で持つか若しくはこれに他の工具を引っ掛けて固定解除工具１４を離脱方向２２へ引き抜くと、第２の固定部材９も共に引き抜かれる。固定解除工具１４の板ばね１４ａは、第２の固定部材９の収容部４への挿入方向に反り返っているので、板ばね１４ａが、第２の固定部材９の凹凸部１１に掛かると、第２の固定部材９はもはや挿入方向へ動くことができなくなる。
【００２９】
固定解除工具１４は、平板で板ばね付プレート８と、第２の固定部材９の凹凸１１との間に入るものであればどのような形状のものでもよく、例えば突片が２つのＵ字形や突片が３つの三叉形であってもよい。固定解除工具１４は、プラスティックで構成されていてもよい。
【００３０】
第１の固定部材２の、壁面２１と接する面には、取り付け穴を囲む環状突起部７ａが設けられており、建材固定金具１を壁面から離して密着させないようにしている。第１の固定部材２と壁面２１とが密着していると、板ばね８ａが第２の固定部材９の凹部から離れにくくなるため固定解除に支障をきたす可能性があり、第１の固定部材２と壁面２１との間に隙間を生じさせることで、固定解除が円滑となる。
【００３１】
図７は、図２に示す本発明を適用した建材固定金具を使用して建材を取り付けた態様の一例を表す概略断面図である。第１の固定部材の第１の係合部５は、第１の固定部材２に面する建材１９の面に設けられた溝部２０とかみ合い、一方、第２の固定部材の第２の係合部１２は、建材１９の外側に設けられた溝部２０とかみ合い、建材１９を固定する。
【００３２】
本発明の建材固定金具の寸法は特に制限されないが、例えば、長さ１１０〜１３０ｍｍ、幅５５〜７０ｍｍ、厚さ３〜４ｍｍ、第１の係合部５及び第２の係合部１２の高さ３〜７ｍｍとすることができる。
【００３３】
建材の取り付け及び取り外し方法の一例を、図４及び図５を参照して説明する。
建材１９を取り付ける場合、建材１９を取り付けたい構造物の壁面２１に、第１の固定部材２の取り付け穴７を通して釘またはビス１３を打ち込み、第１の固定部材２を壁面２１に取り付ける。このとき、第１の固定部材２の収容部４内に第２の固定部材本体１０を挿入させたまま第１の固定部材２を壁面２１に取り付けてもよい。次に、第１の固定部材２の第１の係合部５の形状と第２の固定部材９の第２の係合部１２の形状のそれぞれに対応した形状の溝部２０を備えた建材１９を、第１の係合部５若しくは第２の係合部１２と、溝部２０とをかみ合わせ、建材１９が固定される位置まで第２の固定部材９を収容部４内へ挿入させる。
建材１９を取り外す場合は、固定解除工具１４を板ばね付プレート８と第２の固定部材９の凹凸部１１との間に入れて、固定解除工具１４を離脱方向２２へ引き抜くことで第２の固定部材９を収容部４から抜き出し、第２の係合部１２を建材１９の溝部２０から引き離す。
【００３４】
建材１９の例としては、木質建材（床材、屋根材）、窯業建材（内外装材、防火材、耐火材、遮音材、吸音板、防水材、断熱材）、石材建材（内外装材、防火材、耐火材、遮音材、吸音板、防水材、断熱材）、プラスティック建材（壁装材や天井材といった内外装材、床材、防火材、耐火材、遮音材、吸音板、防水材、断熱材）、複合材建材（化粧合板や壁装材といった内外装材、床材、防火材、耐火材、遮音材、吸音板、防水材、断熱材）、繊維建材（化粧合板や壁装材といった内外装材、床材、防火材、耐火材、遮音材、吸音板、防水材、断熱材）等が挙げられる。
【図面の簡単な説明】
【００３５】
【図１】本発明を適用した建材固定金具と、固定解除工具の一例を示す概略斜視図である。
【図２】本発明を適用した建材固定金具の他の一例を示す概略斜視図である。
【図３】本発明を適用した建材固定金具の更に他の一例を示す概略斜視図である。
【図４】図１に示す本発明を適用した建材固定金具を使用して建材を取り付けた態様の一例を表す概略断面図である。
【図５】図４で示す本発明を適用した建材固定金具の固定状態を解除して建材を取り外す態様の一例を示す概略断面図である。
【図６】図５の固定解除機構を説明する概略部分拡大図である。
【図７】図２に示す本発明を適用した建材固定金具を使用して建材を取り付けた態様の一例を表す概略断面図である。
【図８】ビスや釘を建材の外面から打ち込んで建材を固定した態様を示す概略断面図である。
【図９】スプリングを有する固定金具を使用して建材を固定した態様を示す概略図である。
【符号の説明】
【００３６】
１    建材固定金具
２    第１の固定部材
３    第１の固定部材本体
４    収容部
４ａ    第１の収容部
４ｂ    第２の収容部
５    第１の係合部
６    隆起部
７    取付け穴
７ａ    環状突起部
８    板ばね付プレート
８ａ    板ばね
９    第２の固定部材
１０    第２の固定部材本体
１１    凹凸部
１２    第２の係合部
１３    ビス
１４    固定解除工具
１４ａ    板ばね
１４ｂ    指掛片
１５    開口部
１６    第３の固定部材
１７    第３の固定部材本体
１８    凹凸部
１９    建材
２０    溝部
２１    壁面
２２    離脱方向
【図１】
2006045900.tif 000003
【図２】
2006045900.tif 000004
【図３】
2006045900.tif 000005
【図４】
2006045900.tif 000006
【図５】
2006045900.tif 000007
【図６】
2006045900.tif 000008
【図７】
2006045900.tif 000009
【図８】
2006045900.tif 000010
【図９】
2006045900.tif 000011